(57)【要約】      （修正有）【課題】磁場によって発生した電場、導体又は電場を通じてタッチパネルに信号を送る投影型静電容量方式スタイラスを提供する。【解決手段】スタイラス４は巻線１２と磁石１１を含んでおり、兩者がお互いに移動することによる相互作用で巻線１２に電流が生じ、スタイラス４の先端導体１３/先端電気板を通じて電気力線又は磁束線を発生させ、タッチパネルにスタイラス４の動作をセンスさせる。【選択図】図５ａ
0003194488.tif 000002
【実用新案登録請求の範囲】
【請求項１】
第一端と第二端を有する磁石と、
磁石の第一端から進出することができ、外力で該磁石との間に第一相対運動を生じさせる時に、第一電流が生じる巻線と、
該磁石の第二端に繋がっており、該外力が除かれた時に、該磁石と巻線に第二相対運動をさせ、また該巻線に第二電流が生じるばねと、
先端導体又は先端電気板とを含み、
該先端導体又は該先端電気板は、電気で該巻線に連接させ、該第一電流と該第二電流を生じる時に、該先端導体又は該先端電気板を通じて、外部のタッチパネルに相応する第一信号と第二信号が生じる
投影型静電容量方式スタイラス。
【請求項２】
ボタンと該ボタンに繋がっているボタン連結棒を含み、該ボタン連結棒が該磁石に繋がっており、該ボタンを押した時に、これに生じる該外力は該ボタン連結棒が該磁石の第一端を連れて該巻線から離脱する時に、反誘導電圧が発生し、該巻線に該第二電流を生じ、また該ボタンを放つ時に、該外力が除かれ、該ばねは該磁石をもとの位置に押しつけ、この時に誘導電圧が発生し、該巻線に第一電流が生じる請求項１に記載の投影型静電容量方式スタイラス。
【請求項３】
外板を含み、該磁石、該巻線、該ばねと該先端導体又は該先端電気板を有し、該外板は先端部と下端部を有し、該先端部は開口を有し、該先端導体又は該先端電気板を該開口から露出させることができ、該タッチパネルに接し、また該ばねは外板の下端部に繋がっている請求項１に記載の投影型静電容量方式スタイラス。
【請求項４】
該先端導体又は該先端電気板が押された時に、これに生じる該外力は該先端導体又は該先端電気板が該巻線を連れて該磁石の該第一端に近づき、誘導電圧が発生し、また該巻線に該第一電流が生じ、該先端導体又は該先端電気板を放つ時に、該ばねは該巻線をもとの位置に押し付け、この時に反誘導電圧が発生し、また該巻線に該第二電流が生じ、該第一電流は順電流であり、該第二電流は逆電流である請求項１に記載の投影型静電容量方式スタイラス。
【請求項５】
磁石、第一端と第二端を有する；
巻線とを含み、
該磁石と該巻線は第一相対運動が発生する時に、該巻線に第一電流を生じ、また該磁石と巻線は第二相対運動が発生する時に、該巻線に第二電流が生じ、第一電流と第二電流を通じて外部のタッチパネルに相応する第一信号と第二信号が生じる
投影型静電容量方式スタイラス。
【請求項６】
磁石と、
巻線とを含み、
スタイラス・クリック又はボタン押しとの方式で該磁石又は該巻線の動く方向を変えられ、該動き方向の変換に応じ、順電流と逆電流を生じ、該順電流と該逆電流に応じ、外部のタッチパネルに相応する正向信号と反向信号が生じ、該正向信号と該反向信号を利用し、該スタイラスのさまざまな動作を読取る
投影型静電容量方式スタイラス。
【請求項７】
スタイラス本体と、
該スタイラス本体に設置されている磁石と、
巻線とを含み、
該巻線は、該スタイラス本体に設置され、該磁石と相対運動をすることができ、該磁石が該巻線をセンスする時に、該巻線に電流を生じ，これをもってタッチ操作信号を形成する
投影型静電容量方式スタイラス。
【請求項８】
陽極と陰極を有する磁石と、
巻線とを含み、
該巻線は該磁石の該陽極と該陰極をセンスし、それぞれ順電流と逆電流を生じ、該順電流と該逆電流に応じ、外部のタッチパネルにそれぞれ正向信号と反向信号が生じる
投影型静電容量方式スタイラス。
【請求項９】
先端導体又は先端電気板と、
電気で該先端導体又は該先端電気板と連接しており、該先端導体又は該先端電気板を通じて導体效果を拡大することによって、より強いタッチ操作信号を生じる巻線と
を含む投影型静電容量方式スタイラス。
【請求項１０】
磁石と、
巻線とを含み、
該磁石は該巻線をセンスし、該巻線に電流を生じさせることによって、外部タッチパネルのタッチ操作信号の強さを左右する
投影型静電容量方式スタイラス。
【請求項１１】
請求項１に記載の複数の投影型静電容量方式スタイラスを含み、
複数の該スタイラスは、発振回路を有する外部の投射電容式タッチパネルにタッチ操作する時に、該発振回路を通じて、相応する複数の信号が生じ、スタイラスのマルチタッチ功能を支援する
投影型静電容量方式スタイラス裝置。
【考案の詳細な説明】
【技術分野】
【０００１】
本考案は投影型静電容量方式スタイラスとこの制御方法に関しており、特に投射電容式タッチパネルをいう。
【背景技術】
【０００２】
従来の技術で、スタイラスは全て電力供給又は外部からの誘導電気で作動させ、さらに電磁気のタッチ操作技術に応用しかできない。上述の技術が内部電力のあるスタイラスに応用された場合、充電式電池又はスーパーキャパシタなどの蓄電装置を問わず、必ず充電又は交換する必要があり、さらにライフサイクルの問題がある。受動式電磁気スタイラスに応用された場合、ホストが高エネルギー電磁場を発射しなければならず、この電力消費量は蓄電装置のあるスタイラスより高い。
【０００３】
よって、どのように従来の技術を改善し、スタイラスを内部電源又は蓄電装置に依存させないことは、深く考える価値のある問題である。
【０００４】
したがって、考案者は、従来技術の欠点を鑑み、これを思案して改良した上、本件の「投影型静電容量方式スタイラス」を創作したのである。
【考案の概要】
【０００５】
本件の主な目的は磁場によって発生した電場、先端の導体又は電気板の電場を通じてタッチパネルに信号を送るスタイラスを提供する。このスタイラスは巻線と磁石を含んでおり、兩者がお互いに移動することによる相互作用で巻線に電流を生じ、スタイラスの先端導体/電気板を通じて電気力線又は磁束線を発生させ、タッチパネルにスタイラスの動作をセンスさせる。本件のスタイラスは、内蔵電源又は外部の感應電源が不要でさまざまなタッチ操作の動作を提供することができ、ペン先クリックとボタン押しという方法を通じて、電流を生じさせることとの同様の功能に達する。
【０００６】
本件の主な目的はある投影型静電容量方式スタイラスを提供する。このスタイラスは磁石を含んでおり、この磁石は第一端と第二端を有する。巻線を含んでおり、磁石の第一端から出されており，外力で該磁石と巻線に第一相対運動を生じさせた場合、該巻線に第一電流が発生する。ばねを含んでおり、該磁石の第二端に繋がっており、外力がない場合、該ばねは該磁石と巻線に第二相対運動を生じさせ、該巻線に第二電流が発生する。先端導体又は先端電気板をを含んでおり、該巻線に電気連結をさせた場合、該第一電流と第二電流が発生し、該先端導体又は先端電気板を通じて、外部のタッチパネルに相応する第一信号と第二信号を生じさせる。
【０００７】
本件の主な目的はある投影型静電容量方式スタイラスを提供する。このスタイラスは磁石を含んでおり、この磁石は第一端と第二端を有する。巻線を含んでおり、該磁石と巻線は第一相対運動を生じた場合、該巻線に第一電流が発生させる。該磁石と巻線は第二相対運動を生じた場合、該巻線に第二電流を発生させる。該第一電流と第二電流を通じて外部のタッチパネルに相応する第一信号と一第二信号を生じさせる。
【０００８】
本件の主な目的は投影型静電容量方式スタイラスを提供する。このスタイラスは磁石と巻線を含んでいる。該磁石又は巻線の動く方向はスタイラス・クリック又はボタン押しによって変えられ、順電流と逆電流を生じ、外部のタッチパネルに相応する正向信号と反向信号を生じさせることによって、スタイラスのさまざまな動作を読取る。
【０００９】
本件の主な目的は投影型静電容量方式スタイラスを提供する。スタイラス本体を含んでいる。磁石を含んでおり、該スタイラス本体に設置されている。巻線を含んでおり、該スタイラス本体に設置され、該磁石との相対運動で該巻線に電流が発生することによってタッチ操作信号を形成する。
【００１０】
本件の主な目的は投影型静電容量方式スタイラスを提供する。磁石を含んでおり、陽極と陰極を有する。巻線を含んでおり、該巻線が該磁石の陽極と陰極に誘導することによって順電流と逆電流を生じ、外部のタッチパネルに正向信号と反向信号を生じさせる。
【００１１】
本件の主な目的は投影型静電容量方式スタイラスを提供する。先端導体又は先端電気板を含んでおり、巻線を有し、電気で該先端導体又は該先端電気板に繋がっており、該先端導体又は該先端電気板が該巻線を通じて導体效果を拡大することによって、より強いタッチ操作信号を生じさせる。
【００１２】
本件の主な目的は投影型静電容量方式スタイラスを提供する。磁石と巻線を含んでおり、該磁石が該巻線に誘導し、該巻線に電流を生じ、外部のタッチパネルのタッチ操作信号の強さを左右する。
【００１３】
本件の主な目的は投影型静電容量方式スタイラス裝置を提供する。多数の投影型静電容量方式スタイラスを含んでいる。該複数の投影型静電容量方式スタイラスが発振回路を有する外部の投射電容式タッチパネルにタッチ操作をする時に、発振回路を通じて相応する複数信号を生じ、スタイラスのマルチタッチ功能を支援できる。
【００１４】
本件の主な目的はある投影型静電容量方式スタイラスの制御方法を提供する。磁石と一巻線を含んでおり、スタイラス・クリック又はボタンで磁石又は巻線の動く方向を変え、この動き方向の変換により順電流と逆電流を生じることによって、外部のタッチパネルに相応する正向信号と反向信号が発生し、該正向信号と反向信号を利用して該スタイラスのさまざまな動作を読取る。
【００１５】
本件の主な目的はある投影型静電容量方式スタイラスの制御方法を提供する。先端導体又は先端電気板を含んでおり、電気で該先端導体又は先端電気板の巻線に繋がせ、該先端導体又は先端電気板が該巻線を通じて導体效果を拡大し、より強いタッチ操作信号を生じさせる。
【００１６】
本件の主な目的はある投影型静電容量方式スタイラスの制御方法を提供する。先端導体又は先端電気板を含んでおり、電気で該先端導体又は先端電気板の巻線に繋がせ、該先端導体又は先端電気板が該巻線を通じて導体效果を拡大し、より強いタッチ操作信号を生じさせる。
【００１７】
本件の主な目的はある投影型静電容量方式スタイラスの制御方法を提供する。スタイラス本体、該スタイラス本体に設置された磁石と一該スタイラス本体に設置された巻線を含んでおり、該巻線と磁石を相対運動をさせることによって、該磁石が該巻線を感応する時に、該巻線に電流が生じ、該電流によって外部のタッチパネルにタッチ操作信号を生じさせる。
【００１８】
本件の主な目的はある投影型静電容量方式スタイラスの制御方法を提供する。磁石と巻線を含んでおり、該磁石が該巻線をセンスし、該巻線に電流を生じさせ、この電流をもって外部のタッチパネルのタッチ操作信号の強さを左右する。
【００１９】
本件の主な目的はある投影型静電容量方式スタイラスの制御方法を提供する。複数の投影型静電容量方式スタイラスを含んでおり、該複数のスタイラスが発振回路を有する外部の投射電容式タッチパネルにタッチ操作する時に、該発振回路を通じて、複数スタイラスのタッチ操作によって、相応する複数の信号を生じさせ、スタイラスのマルチタッチ功能を支援できる。
【００２０】
本考案の上述目的、特徴、メリットを理解しやすくするため、以下のように実施例を挙げ、添付図面と併せて詳しく説明する。
【図面の簡単な説明】
【００２１】
【図１】本考案による第一実施例の投影型静電容量方式スタイラスを示している。
【図２】本考案による第二実施例の投影型静電容量方式スタイラスを示している。
【図３ａ】正向磁場の順電流方向の図を示している。
【図３ｂ】反向磁場の逆電流方向の図を示している。
【図４ａ】本考案による第三実施例の投影型静電容量方式スタイラスを示している。
【図４ｂ】正向磁場の順電流方向の図を示している。
【図５ａ】本考案による第四実施例の投影型静電容量方式スタイラスを示している。
【図５ｂ】反向磁場の逆電流方向を示している。
【図６】本考案による第五実施例の投影型静電容量方式スタイラスを示している。
【考案を実施するための形態】
【００２２】
本考案はある電容式タッチ操作に応用する駆動装置又は感知装置のスタイラスを示す。蓄電装置の電池とスーパーキャパシタ等の裝置によって作動する習知のスタイラスとは異なり、本考案のスタイラスは、磁場による発生した電場でタッチパネルにタッチ操作することができ、また違う磁場による違う電流の発生で多種のタッチ操作功能を提供することができる。全ての磁電方式又は以下の実施例に類似することは本考案の範囲内に入っている。本考案は、明らかな低コストと無エネルギー消耗の方式で多種なタッチ操作功能を提供することができるのは習知技術を超えている。
【００２３】
図１は、本考案の第一實施例の投影型静電容量方式スタイラスを示している。この投影型静電容量方式スタイラス１は磁石１１、巻線１２と先端導体１３を含んでいる。該磁石１１と巻線１２は、兩者がお互いに移動することで、該磁石１１による磁場と該巻線１２とセンスし、該巻線に電流を生じ、該投影型静電容量方式スタイラス１の先端導体１３(又は電極)を通じて電気力線又は磁束線を発生させ、外部のタッチパネル(示していない)にスタイラスの動作をセンスさせる。
【００２４】
図１では、該投影型静電容量方式スタイラス１のペンが押されると、先端導体１３が巻線１２を連れて磁石１１に近付いた時に、誘導電圧が発生し、またこれによる順電流が生じ、先端導体１３を通じて外部のタッチパネル(示していない)のセンスすることによって、タッチ操作の感知信号を生じる。該投影型静電容量方式スタイラス１を放つ時に、該投影型静電容量方式スタイラス１の内部(例えば、下端部)に付いているばね(示していない)は巻線１２をもとの位置に押しつけ、この時に反誘導電圧が発生し、また巻線１２に逆電流が生じ、先端導体１３が該外部之タッチパネル(示していない)をセンスし、違うタッチ操作の感知信号が生じる。
【００２５】
図２は本考案の第二實施例の投影型静電容量方式スタイラスを示している。該投影型静電容量方式スタイラス２は磁石１１、巻線１２、先端導体１３、ばね１４、外板１５、ボタン２１とボタン連結棒２２を含んでいる。前述のとおり、該投影型静電容量方式スタイラス２のペン先を押すと、先端導体１３が巻線１２を連れて磁石１１に近付いた時に、誘導電圧が発生し、またこれによる順電流を生じ、先端導体１３を通じて外部のタッチパネル(示していない)をセンスすることによって、タッチ操作の感知信号を生じる。上述の正向磁場がセンスする順電流の方向は図３ａのとおりに示している。該投影型静電容量方式スタイラス２を放つ時に、該投影型静電容量方式スタイラスの２内部(例えば，下端部)に付いているばね１４は巻線１２をもとの位置に押しつけ、この時に反誘導電圧が発生し、また巻線１２に逆電流が生じ、先端導体１３が該外部のタッチパネル(示していない)をセンスし、違うタッチ操作の感知信号が生じる。また、先端導体１３が動いていない場合、ボタン連結棒２２は磁石１１を連れ巻線１２を放つ時に、反誘導電圧が発生し、また逆電流を生じ(図３ｂの示したとおり)、先端導体１３を通じて外部之タッチパネル(示していない)をセンスする。ボタン２１を放つ時に、ばね１４は磁石１１をもとの位置に押し付け、この時に誘導電圧が発生し、また巻線１２に順電流(図３ａの示したとおり)が生じ、先端導体１３が該外部のタッチパネル(示していない)をセンスし、違うタッチ操作の感知信号が生じる。
【００２６】
図４ａは本考案の第三實施例の投影型静電容量方式スタイラスを示している。図４ａでは、該投影型静電容量方式スタイラス３は磁石１１、巻線１２、先端導体１３、ばね１４、外板３１、先端部３１１、開口３１１１と下端部３１２を含んでいる。図４ａでは、該下端部３１２が該ばね１４に繋がている。前述のとおり、該投影型静電容量方式スタイラス３のペン先が押された場合、先端導体１３は巻線１２を連れて磁石１１に近付いた時に、誘導電圧が発生し、また順電流(図４ｂの示したとおり)が生じ、該先端導体１３を通じて該外部之タッチパネル(示していない)をセンスし、タッチ操作の感知信号が生じる。該投影型静電容量方式スタイラス３を放つ場合、該投影型静電容量方式スタイラス３の下端部３１２に付いている該ばね１４は巻線１２をもとの位置に押しつけ、この時に反誘導電圧が発生し、また巻線１２に逆電流(図３ｂの示したとおり)が生じ、先端導体１３を通じて該外部のタッチパネル(示していない)をセンスし、違うタッチ操作の感知信号が生じる。
【００２７】
図５ａは本考案の第四実施例の投影型静電容量方式スタイラスを示している。図５ａでは、該投影型静電容量方式スタイラス４は磁石１１、巻線１２、先端導体１３、ばね１４、外板４１、先端部４１１、開口４１１１と下端部４１２を含んでいる。図５ａでは、該下端部４１２が該ばね１４と繋がっている。前述のとおり、該投影型静電容量方式スタイラス４のペン先が押された場合、先端導体１３は巻線１２を連れて磁石１１に近付いた時に、誘導電圧が発生し、また順電流(図３ａの示したとおり)が生じ、該先端導体１３を通じて該外部のタッチパネル(示していない)をセンスし、タッチ操作の感知信号が生じる。該投影型静電容量方式スタイラス４を放つ場合、該投影型静電容量方式スタイラス４の下端部４１２に付いている該ばね１４は巻線１２をもとの位置に押しつけ、この時に反誘導電圧が発生し、また巻線１２に逆電流(図５ｂの示したとおり)が生じ、先端導体１３を通じて該外部のタッチパネル(示していない)をセンスし、違うタッチ操作の感知信号が生じる。ばね１４はスタイラス４の下端部４１２に繋がっており、先端導体１３は導体の先端であり、伝導線で巻線１２と繋がっている。普通の場合、先端導体１３をもって該外部のタッチパネル(示していない)にタッチ操作をすることができる。ボタン２１を押し、先端導体１３が動くことなく、ボタン連結棒２２が磁石１１を連れて巻線１２を放つ時に、反誘導電圧が発生し、また逆電流(図５ｂの示したとおり)が生じ、先端導体１３を通じてタッチパネルをセンスする。當ボタン２１を放つ時に、ばね１４は磁石１１をもとの位置に押しつけ、この時に誘導電圧が発生し、巻線１２に順電流が生じ、先端導体１３を通じて該外部のタッチパネル(示していない)をセンスし、違う感知信号が生じる。
【００２８】
図６は本考案の第五実施例の投影型静電容量方式スタイラスを示している。図５ａ及び図５ｂでは、該投影型静電容量方式スタイラス５は磁石１１、巻線１２、先端電気板５２、ばね１４、スタイラス本体５１、先端部５１１、開口５１１１と下端部５１２を含んでいる。図６の示したとおり、該下端部５１２が該ばね１４に繋がっている。前述のとおり、該投影型静電容量方式スタイラス５のペン先を押した場合、先端電気板５２は巻線１２を連れて磁石１１の方に近づいた時に、誘導電圧が発生し、また順電流(図３ａの示したとおり)が生じ、先端電気板５２を通じて該外部のタッチパネル(示していない)をセンスし、タッチ操作の感知信号が生じる。該投影型静電容量方式スタイラス５を放つ場合、該投影型静電容量方式スタイラス５の下端部５１２に付いている該ばね１４は巻線１２をもとの位置に押しつけ、この時に反誘導電圧が発生し、また巻線１２に逆電流(図３ｂの示したとおり)が生じ、先端電気板５２を通じて該外部のタッチパネル(示していない)をセンスし、違うタッチ操作の感知信号を生じる。ばね１４はスタイラス５の下端部５１２に繋がっており、先端電気板５２は為導電の板であり、伝導線を通じて巻線１２と繋がっている。普通の場合、先端電気板５２をもって該外部のタッチパネル(示していない)上にタッチ操作をすることができる。
【００２９】
実施例：
【００３０】
１.ある投影型静電容量方式スタイラス，以下のものを含んでいる：
磁石、第一端と第二端を有する；
巻線、該磁石の第一端に進出することができ、外力で該磁石と巻線に第一相対運動を生じさせた場合、該巻線に第一電流が発生する；
ばね、該磁石の第二端に繋がっており、外力がない場合、該ばねは該磁石と巻線に第二相対運動を生じさせ、該巻線に第二電流が発生する；
先端導体又は先端電気板、該巻線に電気連結をさせた場合、該第一電流と第二電流が発生し、該先端導体又は先端電気板を通じて、外部のタッチパネルに相応する第一信号と第二信号を生じさせる。
【００３１】
２.実施例１で述べた投影型静電容量方式スタイラスにより、ボタンと該ボタンに繋がっているボタン連結棒を含んでいる。該ボタン連結棒が連接於該磁石に繋がっており、該ボタンを押した場合、これによる該外力は該ボタン連結棒が該磁石の第一端を連れ該巻線から離脱させた時に、反誘導電圧が発生し、また該巻線に該第二電流が生じる。該ボタンを放つ時に、該外力が除かれ、ばねは該磁石をもとの位置に押しつけ、この時に誘導電圧が発生し、また該巻線に該第一電流が生じる。
【００３２】
３.実施例１又は２で述べた投影型静電容量方式スタイラスにより、外板があり、該磁石、該巻線、該ばねと該先端導体又は該先端電気板を含んでおり、該外板は先端部と下端部を有し、該先端部は開口を有し、該先端導体又は該先端電気板が該開口から露出することができ、該タッチパネルに接触でき、また該ばねは下端部に繋がっている。
【００３３】
４.以上の何れの実施例で述べた投影型静電容量方式スタイラスにより、該先端導体又は該先端電気板が押さられた時に、これによる該外力は該先端導体又は該先端電気板が該巻線を連れて該磁石の第一端に近付いた時に、誘導電圧が発生し、また該巻線に該第一電流が生じる。該先端導体又は該先端電気板を放つ時に、該ばねは該巻線をもとの位置に押しつけ、この時に反誘導電圧が発生し、また該巻線に該第二電流が生じ、該第一電流は順電流であり、該第二電流は逆電流である。
【００３４】
５.ある投影型静電容量方式スタイラス，以下のものを含んでいる：
磁石、第一端と第二端を有する；
巻線、該磁石と該巻線は第一相対運動が発生する時に、該巻線に第一電流が生じ、また該磁石と巻線は第二相対運動が発生する時に、該巻線に第二電流が生じ、第一電流と第二電流を通じて外部のタッチパネルに相応する第一信号と第二信号が生じる。
【００３５】
６.ある投影型静電容量方式スタイラス，以下のものを含んでいる：
磁石；
巻線、該磁石又は該巻線の動く方向はスタイラス・クリック又はボタン押しに変えられたことによって、順電流と逆電流が生じ、また外部のタッチパネルに相応する正向信号と反向信号が生じ、該スタイラスのさまざまな動作を読取る。
【００３６】
７.ある投影型静電容量方式スタイラス、以下のものを含んでいる：
スタイラス本体；
磁石、該スタイラス本体に設置されている；
巻線、該スタイラス本体に設置されており、また該磁石と相対運動をすることができ、該磁石は該巻線をセンスする時に、該巻線に電流が発生することによってタッチ操作信号を形成する。
【００３７】
８.ある投影型静電容量方式スタイラス，以下のものを含んでいる：
磁石、陽極と陰極を有する；
巻線、該磁石の陽極と陰極をセンスするため、それぞれ順電流と逆電流が生じ、またこの順電流と逆電流によって、外部のタッチパネルにそれぞれ正向信号と反向信号が生じる。
【００３８】
９.ある投影型静電容量方式スタイラス、以下のものを含んでいる：
先端導体又は先端電気板；
巻線、電気連結で該先端導体又は先端電気板と繋がり、該先端導体又は該先端電気板は該巻線を通じて導体效果を拡大することによって、より強いタッチ操作信号が生じる。
【００３９】
１０.ある投影型静電容量方式スタイラス、以下のものを含んでいる：
磁石；
巻線、該磁石は該巻線をセンスし、該巻線に電流を生じさせ、外部タッチパネルのタッチ操作信号の強さを左右する。
【００４０】
１１.ある投影型静電容量方式スタイラス裝置、以下のものを含んでいる：
複数の出願範囲第１項に述べた投影型静電容量方式スタイラス、
複数の該スタイラスは、発振回路を有する外の投射電容式タッチパネルにタッチ操作する時に、該発振回路を通じて、相応する複数の信号が生じ、スタイラスのマルチタッチ功能を支援できる。
【００４１】
１２.ある投影型静電容量方式スタイラスの制御方法、以下のものを含んでいる：
磁石と巻線；
スタイラス・クリック又はボタンとの方式で該磁石又は該巻線の動き方向を変えられる；
該動き方向の変換に応じ、順電流と逆電流を生じ；
該順電流と該逆電流に応じ、外部のタッチパネルに相応する正向信号と反向信号を生じる；
該正向信号と該反向信号を利用し、該スタイラスのさまざまな動作を読取る。
【００４２】
１３.ある投影型静電容量方式スタイラスの制御方法、以下のものを含んでいる：
先端導体又は先端電気板、及び電気で先端導体又は該先端電気板に連接する巻線；
先端導体又は該先端電気板は該巻線を通じて導体效果を拡大し、より強いタッチ操作信号が生じる。
【００４３】
１４.ある投影型静電容量方式スタイラスの制御方法、以下のものを含んでいる：
陽極と陰極を有する磁石と巻線；
該磁石の陽極と陰極で該巻線をセンスし、それぞれ順電流と逆電流が生じる；
該順電流と逆電流に応じ、それぞれ外部のタッチパネルに正向信号と反向信号が生じる。
【００４４】
１５.ある投影型静電容量方式スタイラスの制御方法、以下のものを含んでいる：
スタイラス本体があり、該スタイラス本体に設置された磁石と該スタイラス本体に設置された巻線；
該巻線と該磁石に相対運動をさせ、該磁石は該巻線をセンスする時に、該巻線に電流が生じる；
該電流を通じて外部のタッチパネルにタッチ操作信号を形成する。
【００４５】
１６.ある投影型静電容量方式スタイラスの制御方法、以下のものを含んでいる：
磁石と巻線；
該磁石は該巻線をセンスし、該巻線に電流が生じる；
該電流で外部タッチパネルのタッチ操作信号の強弱を左右する。
【００４６】
１７.ある投影型静電容量方式スタイラス裝置の制御方法、以下のものを含んでいる：
実施例１で述べた通りの複数の投影型静電容量方式スタイラス；
発振回路を有する外部の投射電容式タッチパネルに複数の該スタイラスをタッチ操作させる；
該発振回路を通じて，該複数のスタイラスのタッチ操作に応じ、相応する複数の信号が生じ、スタイラスのマルチタッチ功能に支援できる。
【００４７】
上述をまとめると、本考案は磁場によって発生した電場を利用し、先端導体又は先端電気板を通じて、タッチパネルに信号を生じさせるスタイラスを提供する。巻線と磁石を含んでおり、兩者は相互移動で巻線に電流を生じ、スタイラスの先端導体/先端電気板を通じて電力線又は磁束線を発射することによって、タッチパネルにスタイラスの動作をセンスする。本件のスタイラスは内蔵電源又は外部の感應電源が不要でさまざまなタッチ操作の動作を提供することができ、ペン先クリックとボタン押しという方法を通じて、電流を生じことと同様の功能に達する。従って、確かに進歩性と新規性を有する。
【００４８】
したがって本件は、上述実施例の説明によって本考案を熟知している人が他の思案を加えて修正することができたとしても、出願で保護できる範囲を逸していない。
【符号の説明】
【００４９】
１ 本考案の第一実施例の投影型静電容量方式スタイラス
１１ 磁石
１２ 巻線
１３ 先端導体
１４ ばね
１５ 外板
２本考案の第二実施例の投影型静電容量方式スタイラス
２１ ボタン
２２ ボタン連結棒
３本考案の第三実施例の投影型静電容量方式スタイラス
３１ 外板
３１１ 先端部
３１１１ 開口
３１２ 下端部
４本考案の第四実施例の投影型静電容量方式スタイラス
４１ 外板
４１１ 先端部
４１１１ 開口
４１２ 下端部
５本考案の第五実施例の投影型静電容量方式スタイラス
５１ スタイラス本体
５２ 先端電気板
５１１ 先端部
５１１１ 開口
５１２ 下端部
【図１】
0003194488.tif 000003
【図２】
0003194488.tif 000004
【図３ａ】
0003194488.tif 000005
【図３ｂ】
0003194488.tif 000006
【図４ａ】
0003194488.tif 000007
【図４ｂ】
0003194488.tif 000008
【図５ａ】
0003194488.tif 000009
【図５ｂ】
0003194488.tif 000010
【図６】
0003194488.tif 000011
【手続補正書】
【提出日】平成26年9月22日(2014.9.22)
【手続補正１】
【補正対象書類名】実用新案登録請求の範囲
【補正対象項目名】全文
【補正方法】変更
【補正の内容】
【実用新案登録請求の範囲】
【請求項１】
第一端と第二端を有する磁石と、
磁石の第一端から進出することができ、外力で該磁石との間に第一相対運動を生じさせる時に、第一電流が生じる巻線と、
該磁石の第二端に繋がっており、該外力が除かれた時に、該磁石と巻線に第二相対運動をさせ、また該巻線に第二電流が生じるばねと、
先端導体又は先端電気板とを含み、
該先端導体又は該先端電気板は、電気で該巻線に連接させ、該第一電流と該第二電流を生じる時に、該先端導体又は該先端電気板を通じて、外部のタッチパネルに相応する第一信号と第二信号が生じる
投影型静電容量方式スタイラス。
【請求項２】
ボタンと該ボタンに繋がっているボタン連結棒を含み、該ボタン連結棒が該磁石に繋がっており、該ボタンを押した時に、これに生じる該外力は該ボタン連結棒が該磁石の第一端を連れて該巻線から離脱する時に、反誘導電圧が発生し、該巻線に該第二電流を生じ、また該ボタンを放つ時に、該外力が除かれ、該ばねは該磁石をもとの位置に押しつけ、この時に誘導電圧が発生し、該巻線に第一電流が生じる請求項１に記載の投影型静電容量方式スタイラス。
【請求項３】
外板を含み、該磁石、該巻線、該ばねと該先端導体又は該先端電気板を有し、該外板は先端部と下端部を有し、該先端部は開口を有し、該先端導体又は該先端電気板を該開口から露出させることができ、該タッチパネルに接し、また該ばねは外板の下端部に繋がっている請求項１に記載の投影型静電容量方式スタイラス。
【請求項４】
該先端導体又は該先端電気板が押された時に、これに生じる該外力は該先端導体又は該先端電気板が該巻線を連れて該磁石の該第一端に近づき、誘導電圧が発生し、また該巻線に該第一電流が生じ、該先端導体又は該先端電気板を放つ時に、該ばねは該巻線をもとの位置に押し付け、この時に反誘導電圧が発生し、また該巻線に該第二電流が生じ、該第一電流は順電流であり、該第二電流は逆電流である請求項１に記載の投影型静電容量方式スタイラス。
【請求項５】
第一端と第二端を有する磁石と、
巻線とを含み、
該磁石と該巻線は第一相対運動が発生する時に、該巻線に第一電流を生じ、また該磁石と巻線は第二相対運動が発生する時に、該巻線に第二電流が生じ、第一電流と第二電流を通じて外部のタッチパネルに相応する第一信号と第二信号が生じる
投影型静電容量方式スタイラス。
【請求項６】
磁石と、
巻線とを含み、
スタイラス・クリック又はボタン押しとの方式で該磁石又は該巻線の動く方向を変えられ、該動き方向の変換に応じ、順電流と逆電流を生じ、該順電流と該逆電流に応じ、外部のタッチパネルに相応する正向信号と反向信号が生じ、該正向信号と該反向信号を利用し、該スタイラスのさまざまな動作を読取る
投影型静電容量方式スタイラス。
【請求項７】
スタイラス本体と、
該スタイラス本体に設置されている磁石と、
巻線とを含み、
該巻線は、該スタイラス本体に設置され、該磁石と相対運動をすることができ、該磁石が該巻線をセンスする時に、該巻線に電流を生じ，これをもってタッチ操作信号を形成する
投影型静電容量方式スタイラス。
【請求項８】
陽極と陰極を有する磁石と、
巻線とを含み、
該巻線は該磁石の該陽極と該陰極をセンスし、それぞれ順電流と逆電流を生じ、該順電流と該逆電流に応じ、外部のタッチパネルにそれぞれ正向信号と反向信号が生じる
投影型静電容量方式スタイラス。
【請求項９】
先端導体又は先端電気板と、
電気で該先端導体又は該先端電気板と連接しており、該先端導体又は該先端電気板を通じて導体效果を拡大することによって、より強いタッチ操作信号を生じる巻線と
を含む投影型静電容量方式スタイラス。
【請求項１０】
磁石と、
巻線とを含み、
該磁石は該巻線をセンスし、該巻線に電流を生じさせることによって、外部タッチパネルのタッチ操作信号の強さを左右する
投影型静電容量方式スタイラス。
【請求項１１】
請求項１に記載の複数の投影型静電容量方式スタイラスを含み、
複数の該スタイラスは、発振回路を有する外部の投射電容式タッチパネルにタッチ操作する時に、該発振回路を通じて、相応する複数の信号が生じ、スタイラスのマルチタッチ機能を支援する
投影型静電容量方式スタイラス裝置。
【手続補正２】
【補正対象書類名】明細書
【補正対象項目名】０００５
【補正方法】変更
【補正の内容】
【０００５】
本件の主な目的は磁場によって発生した電場、先端の導体又は電気板の電場を通じてタッチパネルに信号を送るスタイラスを提供する。このスタイラスは巻線と磁石を含んでおり、兩者がお互いに移動することによる相互作用で巻線に電流を生じ、スタイラスの先端導体/電気板を通じて電気力線又は磁束線を発生させ、タッチパネルにスタイラスの動作をセンスさせる。本件のスタイラスは、内蔵電源又は外部の感應電源が不要でさまざまなタッチ操作の動作を提供することができ、ペン先クリックとボタン押しという方法を通じて、電流を生じさせることとの同様の機能に達する。
【手続補正３】
【補正対象書類名】明細書
【補正対象項目名】００１３
【補正方法】変更
【補正の内容】
【００１３】
本件の主な目的は投影型静電容量方式スタイラス裝置を提供する。多数の投影型静電容量方式スタイラスを含んでいる。該複数の投影型静電容量方式スタイラスが発振回路を有する外部の投射電容式タッチパネルにタッチ操作をする時に、発振回路を通じて相応する複数信号を生じ、スタイラスのマルチタッチ機能を支援できる。
【手続補正４】
【補正対象書類名】明細書
【補正対象項目名】００１９
【補正方法】変更
【補正の内容】
【００１９】
本件の主な目的はある投影型静電容量方式スタイラスの制御方法を提供する。複数の投影型静電容量方式スタイラスを含んでおり、該複数のスタイラスが発振回路を有する外部の投射電容式タッチパネルにタッチ操作する時に、該発振回路を通じて、複数スタイラスのタッチ操作によって、相応する複数の信号を生じさせ、スタイラスのマルチタッチ機能を支援できる。
【手続補正５】
【補正対象書類名】明細書
【補正対象項目名】００２２
【補正方法】変更
【補正の内容】
【００２２】
本考案はある電容式タッチ操作に応用する駆動装置又は感知装置のスタイラスを示す。蓄電装置の電池とスーパーキャパシタ等の裝置によって作動する習知のスタイラスとは異なり、本考案のスタイラスは、磁場による発生した電場でタッチパネルにタッチ操作することができ、また違う磁場による違う電流の発生で多種のタッチ操作機能を提供することができる。全ての磁電方式又は以下の実施例に類似することは本考案の範囲内に入っている。本考案は、明らかな低コストと無エネルギー消耗の方式で多種なタッチ操作機能を提供することができるのは習知技術を超えている。
【手続補正６】
【補正対象書類名】明細書
【補正対象項目名】００３０
【補正方法】変更
【補正の内容】
【００３０】
１.ある投影型静電容量方式スタイラスは、第一端と第二端を有する磁石と、巻線であって、該磁石の第一端に進出することができ、外力で該磁石と巻線に第一相対運動を生じさせた場合、該巻線に第一電流が発生する該巻線と、ばねであって、該磁石の第二端に繋がっており、外力がない場合、該ばねは該磁石と巻線に第二相対運動を生じさせ、該巻線に第二電流が発生する該ばねと、先端導体又は先端電気板であって、該巻線に電気連結をさせた場合、該第一電流と第二電流が発生し、該先端導体又は先端電気板を通じて、外部のタッチパネルに相応する第一信号と第二信号を生じさせる該先端導体又は先端電気板とを含んでいる。
【手続補正７】
【補正対象書類名】明細書
【補正対象項目名】００３４
【補正方法】変更
【補正の内容】
【００３４】
５.ある投影型静電容量方式スタイラスは、第一端と第二端を有する磁石と、巻線とを含み、該磁石と該巻線は第一相対運動が発生する時に、該巻線に第一電流が生じ、また該磁石と該巻線は第二相対運動が発生する時に、該巻線に第二電流が生じ、第一電流と第二電流を通じて外部のタッチパネルに相応する第一信号と第二信号が生じる。
【手続補正８】
【補正対象書類名】明細書
【補正対象項目名】００３５
【補正方法】変更
【補正の内容】
【００３５】
６.ある投影型静電容量方式スタイラスは、磁石と、巻線であって、該磁石又は該巻線の動く方向はスタイラス・クリック又はボタン押しに変えられたことによって、順電流と逆電流が生じ、また外部のタッチパネルに相応する正向信号と反向信号が生じ、該スタイラスのさまざまな動作を読取る該巻線とを含んでいる。
【手続補正９】
【補正対象書類名】明細書
【補正対象項目名】００３６
【補正方法】変更
【補正の内容】
【００３６】
７.ある投影型静電容量方式スタイラスは、スタイラス本体と、該スタイラス本体に設置されている磁石と、巻線であって、該スタイラス本体に設置されており、また該磁石と相対運動をすることができ、該磁石は該巻線をセンスする時に、該巻線に電流が発生することによってタッチ操作信号を形成する該巻線とを含んでいる。
【手続補正１０】
【補正対象書類名】明細書
【補正対象項目名】００３７
【補正方法】変更
【補正の内容】
【００３７】
８.ある投影型静電容量方式スタイラスは、陽極と陰極を有する磁石と、巻線であって、該磁石の陽極と陰極をセンスするため、それぞれ順電流と逆電流が生じ、またこの順電流と逆電流によって、外部のタッチパネルにそれぞれ正向信号と反向信号が生じる該巻線とを含んでいる。
【手続補正１１】
【補正対象書類名】明細書
【補正対象項目名】００３８
【補正方法】変更
【補正の内容】
【００３８】
９.ある投影型静電容量方式スタイラスは、先端導体又は先端電気板と、巻線であって、電気連結で該先端導体又は先端電気板と繋がり、該先端導体又は該先端電気板は該巻線を通じて導体效果を拡大することによって、より強いタッチ操作信号が生じる該巻線とを含んでいる。
【手続補正１２】
【補正対象書類名】明細書
【補正対象項目名】００３９
【補正方法】変更
【補正の内容】
【００３９】
１０.ある投影型静電容量方式スタイラスは、磁石と、巻線であって、該磁石は該巻線をセンスし、該巻線に電流を生じさせ、外部タッチパネルのタッチ操作信号の強さを左右する該巻線とを含んでいる。
【手続補正１３】
【補正対象書類名】明細書
【補正対象項目名】００４０
【補正方法】変更
【補正の内容】
【００４０】
１１.ある投影型静電容量方式スタイラス裝置は、実施例１に述べた複数の投影型静電容量方式スタイラスを含み、複数の該スタイラスは、発振回路を有する外の投射電容式タッチパネルにタッチ操作する時に、該発振回路を通じて、相応する複数の信号が生じ、スタイラスのマルチタッチ機能を支援できる。
【手続補正１４】
【補正対象書類名】明細書
【補正対象項目名】００４１
【補正方法】変更
【補正の内容】
【００４１】
１２.磁石と巻線とを含んでいる投影型静電容量方式スタイラスの制御方法は、スタイラス・クリック又はボタンとの方式で該磁石又は該巻線の動き方向を変えられる手段と、該動き方向の変換に応じ、順電流と逆電流を生じる手段と、該順電流と該逆電流に応じ、外部のタッチパネルに相応する正向信号と反向信号を生じる手段と、該正向信号と該反向信号を利用し、該スタイラスのさまざまな動作を読取る手段とを含んでいる。
【手続補正１５】
【補正対象書類名】明細書
【補正対象項目名】００４２
【補正方法】変更
【補正の内容】
【００４２】
１３.先端導体又は先端電気板、及び電気で先端導体又は該先端電気板に連接する巻線を含んでいる投影型静電容量方式スタイラスの制御方法は、先端導体又は該先端電気板は該巻線を通じて導体效果を拡大し、より強いタッチ操作信号が生じることを含んでいる。
【手続補正１６】
【補正対象書類名】明細書
【補正対象項目名】００４３
【補正方法】変更
【補正の内容】
【００４３】
１４.陽極と陰極とを有する磁石と、巻線とを含んでいる投影型静電容量方式スタイラスの制御方法は、該磁石の陽極と陰極で該巻線をセンスし、それぞれ順電流と逆電流が生じる手段と、該順電流と逆電流に応じ、それぞれ外部のタッチパネルに正向信号と反向信号が生じる手段とを含んでいる。
【手続補正１７】
【補正対象書類名】明細書
【補正対象項目名】００４４
【補正方法】変更
【補正の内容】
【００４４】
１５.スタイラス本体と、該スタイラス本体に設置された磁石と該スタイラス本体に設置された巻線とを含んでいる投影型静電容量方式スタイラスの制御方法は、該巻線と該磁石に相対運動をさせ、該磁石は該巻線をセンスする時に、該巻線に電流が生じる手段と、該電流を通じて外部のタッチパネルにタッチ操作信号を形成する手段とを含んでいる。
【手続補正１８】
【補正対象書類名】明細書
【補正対象項目名】００４５
【補正方法】変更
【補正の内容】
【００４５】
１６.磁石と、巻線とを含んでいる投影型静電容量方式スタイラスの制御方法は、該磁石は該巻線をセンスし、該巻線に電流が生じる手段と、該電流で外部タッチパネルのタッチ操作信号の強弱を左右する手段とを含んでいる。
【手続補正１９】
【補正対象書類名】明細書
【補正対象項目名】００４６
【補正方法】変更
【補正の内容】
【００４６】
１７.ある投影型静電容量方式スタイラス裝置の制御方法は、発振回路を有する外部の投射電容式タッチパネルに実施例１で述べた通りの複数の該スタイラスをタッチ操作させる手段と、該発振回路を通じて，該複数のスタイラスのタッチ操作に応じ、相応する複数の信号が生じ、スタイラスのマルチタッチ機能を支援する手段とを含む。
【手続補正２０】
【補正対象書類名】明細書
【補正対象項目名】００４７
【補正方法】変更
【補正の内容】
【００４７】
上述をまとめると、本考案は磁場によって発生した電場を利用し、先端導体又は先端電気板を通じて、タッチパネルに信号を生じさせるスタイラスを提供する。巻線と磁石を含んでおり、兩者は相互移動で巻線に電流を生じ、スタイラスの先端導体/先端電気板を通じて電力線又は磁束線を発射することによって、タッチパネルにスタイラスの動作をセンスする。本件のスタイラスは内蔵電源又は外部の感應電源が不要でさまざまなタッチ操作の動作を提供することができ、ペン先クリックとボタン押しという方法を通じて、電流を生じることと同様の機能に達する。従って、確かに進歩性と新規性を有する。